(57)【要約】      （修正有）【課題】体形の補正を行ないながら、肩周りの印象をすっきりさせることができ、キャミソール全体のシルエットやデザイン効果を向上して、とくにアウターウェアーとして使用するのに好適な装飾性に優れたキャミソールを提供する。【解決手段】キャミソール本体１と、補正用インナー２とを備えている。補正用インナー２は、ブラジャー部１０と、ブラジャー部１０の下部のアンダーバストに沿って周回状に縫着される筒状のウエストニッパー部１１とで構成する。ブラジャー部１０は、椀形の左右一対のカップ部１５と、胸部を周回するベルト部１６とで構成する。補正用インナー２をキャミソール本体１に対して、キャミソール本体１の左右の袖ぐり７から後ろ身頃の上縁において縫着して一体化する。キャミソール本体１の前身頃４に、胸部全体を覆う装飾生地６を設けてデザイン効果を向上する。【選択図】図１
0003156989.tif 000002
【実用新案登録請求の範囲】
【請求項１】
肩紐（３）を含むキャミソール本体（１）と、キャミソール本体（１）の内部に配置される補正用インナー（２）とを備えており、
補正用インナー（２）は、ブラジャー部（１０）と、ブラジャー部（１０）の下部のアンダーバストに沿って周回状に縫着される筒状のウエストニッパー部（１１）とで構成されており、
ブラジャー部（１０）は、椀形の左右一対のカップ部（１５）と、両カップ部（１５）の湾曲する下縁、および両側縁に縫着されて、胸部を周回するベルト部（１６）とで構成されており、
補正用インナー（２）がキャミソール本体（１）に対して、キャミソール本体（１）の左右の袖ぐり（７）から後ろ身頃（５）の上縁（５ａ）において縫着されて一体化してあるキャミソール。
【請求項２】
キャミソール本体（１）が、前身頃（４）と後ろ身頃（５）とを縫着して筒状に形成されており、
前身頃（４）の胸部を覆う部分の外面に、装飾生地（６）が縫着してある請求項１に記載のキャミソール。
【請求項３】
キャミソール本体（１）の前身頃（４）の上縁（４ａ）が、補正用インナー（２）のブラジャー部（１０）の上端位置より上方に位置させてあり、
装飾生地（６）が、前身頃（４）の胸部全体を覆う状態でキャミソール本体（１）に縫着してある請求項２に記載のキャミソール。
【請求項４】
ブラジャー部（１０）を構成するカップ部（１５）が、発泡ポリウレタンシートを含む素材で椀形のシームレスカップとして形成されており、
ベルト部（１６）は、両カップ部（１５）の湾曲する下縁および両側縁に縫着される前ベルト部（２０）と、前ベルト部（２０）に連続する後ベルト部（２１）とで構成されて、前後の両ベルト部（２０・２１）の間に左右の袖ぐり（１２）が形成されており、
後ベルト部（２１）の背中側の上縁（２１ａ）を左右の袖ぐり（１２）より上方に位置させて、後ベルト部（２１）の上下幅が広幅に形成してある請求項２、または３に記載のキャミソール。
【請求項５】
ウエストニッパー部（１１）が、周方向へ隣接する複数個の縦長のパーツ生地（２５）で構成されており、
各パーツ生地（２５）は、低伸縮かつ高弾性力のメッシュ生地で形成されており、
パーツ生地（２５）の周方向の隣接縁どうしを縫着して、ウエストニッパー部（１１）が筒状に形成してある請求項２、３または４に記載のキャミソール。
【考案の詳細な説明】
【技術分野】
【０００１】
本考案は、体型補正用の補正用インナーを備えているキャミソールに関する。
【背景技術】
【０００２】
近年、インナーウェアーとして用いられていたキャミソールを、下着風のアウターウェアーとして着こなすファッションが注目されている。キャミソールをアウターウェアーとして着こなす場合には、多くの場合ブラジャーやファウンデーションを着用して、ウエストからバスト周りにわたって体形を補正することが多い。
【０００３】
この種のキャミソールにおいて、キャミソール本体と、その内部に配置される補正用インナーとでキャミソールを構成することは、本出願人の出願に係る特許文献１に公知である。補正用インナーは、ウエストからアンダーバストにわたって体形を補正するために設けてあり、キャミソールをアウターウェアーとして着用する場合にはブラジャーを着用する。そのために、補正用インナーの前身頃の上縁に、アンダーバストに沿う凹部が切り欠き形成してある。同様のキャミソールは特許文献２にも見ることができ、そこでは、キャミソールの着用を容易化するために、補正用インナーの脇線に沿ってスライドファスナーを設けている。
【０００４】
キャミソールは、一対の肩紐を肩に掛けて全体がずりさがるのを防いでおり、着用状態において肩や首回りの肌が露出する構造になっている。そのため、体形を補正するために着用したブラジャーやファウンデーションの肩紐と、キャミソールの肩紐とが肩に露出するのを避けられず、外観上の印象やファッション性を損ないやすい。このような肩紐の重複露出を避けるために、ブラジャー機能を備えたタンクトップが提案されている（特許文献３参照）。そこでは、外着と内着とでタンクトップを構成し、内着に乳房を保持する立体的なカップ部を一体に設けている。
【先行技術文献】
【特許文献】
【０００５】
【特許文献１】登録実用新案第３１４３２１２号公報（段落番号００１１、図１）
【特許文献２】登録実用新案第３１０６７３２号公報（段落番号０００９、図１）
【特許文献３】登録実用新案第３０４４５８１号公報（段落番号００１０、図２）
【考案の概要】
【考案が解決しようとする課題】
【０００６】
特許文献３のタンクトップによれば、補正用インナーに相当する内着に立体的なカップ部を一体に設けるので、肩紐が重複して露出するのを避けて、肩周りの印象をすっきりさせることができる。また、内着に設けたカップ部および筒形胸部で、乳房の保持と体形補正とを行なえる。しかし、特許文献３のタンクトップにおいては、編地からなる内着を編みたてる過程で、椀状に膨出するカップ部を成形編成するので、通常のブラジャーに比べて乳房を保持する力が弱く、カップ部がずれやすい不利がある。
【０００７】
また、従来のキャミソールは、インナーウェアー用のキャミソールをベースにして、ほぼ同じ外観になるように構成してあるので、アウターウェアーとして使用するのに地味な印象があり、キャミソール全体のデザイン効果やシルエットに問題がある。
【０００８】
本考案の目的は、体形の補正を行ないながら、肩周りの印象をすっきりさせることができ、しかも、乳房の保持と体形補正と的確に行なって、インナーウェアーとして使用するのはもちろん、とくにアウターウェアーとして使用するのに好適なキャミソールを提供することにある。本考案の目的は、キャミソール全体のシルエットやデザイン効果を向上でき、とくにアウターウェアーとして使用するのに好適な装飾性に優れたキャミソールを提供することにある。本考案の目的は、急激な動作や跳躍を行なうような場合であってもカップのずれを確実に防止できる補正用インナーを備えたキャミソールを提供することにある。
【課題を解決するための手段】
【０００９】
本考案に係るキャミソールは、肩紐３を含むキャミソール本体１と、キャミソール本体１の内部に配置される補正用インナー２とを備えている。補正用インナー２は、ブラジャー部１０と、ブラジャー部１０の下部のアンダーバストに沿って周回状に縫着される筒状のウエストニッパー部１１とで構成する。ブラジャー部１０は、椀形の左右一対のカップ部１５と、両カップ部１５の湾曲する下縁、および両側縁に縫着されて、胸部を周回するベルト部１６とで構成する。補正用インナー２をキャミソール本体１に対して、キャミソール本体１の左右の袖ぐり７から後ろ身頃５の上縁５ａにおいて縫着して一体化する。
【００１０】
キャミソール本体１は、前身頃４と後ろ身頃５とを縫着して筒状に形成する。前身頃４の胸部を覆う部分の外面に、装飾生地６を縫着する。
【００１１】
キャミソール本体１の前身頃４の上縁４ａを、補正用インナー２のブラジャー部１０の上端位置より上方に位置させる。装飾生地６は、前身頃４の胸部全体を覆う状態でキャミソール本体１に縫着する。
【００１２】
ブラジャー部１０を構成するカップ部１５を、発泡ポリウレタンシートを含む素材で椀形のシームレスカップとして形成する。ベルト部１６は、両カップ部１５の湾曲する下縁および両側縁に縫着される前ベルト部２０と、前ベルト部２０に連続する後ベルト部２１とで構成する。前後の両ベルト部２０・２１の間に左右の袖ぐり１２を形成する。後ベルト部２１の背中側の上縁２１ａを左右の袖ぐり１２より上方に位置させて、後ベルト部２１の上下幅を広幅に形成する。
【００１３】
ウエストニッパー部１１は、周方向へ隣接する複数個の縦長のパーツ生地２５で構成する。各パーツ生地２５は、低伸縮かつ高弾性力のメッシュ生地で形成する。パーツ生地２５の周方向の隣接縁どうしを縫着して、ウエストニッパー部１１を筒状に形成する。
【考案の効果】
【００１４】
本考案においては、キャミソール本体１と補正用インナー２とでキャミソールを構成し、補正用インナー２をブラジャー部１０とウエストニッパー部１１とで構成した。また、左右一対のカップ部１５と胸部を周回するベルト部１６とでブラジャー部１０を構成して、キャミソール本体１の左右の袖ぐり７から後ろ身頃５の上縁５ａにおいて、補正用インナー２をキャミソール本体１に逢着するようにした。
【００１５】
上記の縫着構造によれば、キャミソール本体１の前や後ろに補正用インナー２を固定するための縫着線が露出するのを防止して、キャミソールのシルエットの美観を向上できる。また、補正用インナー２で体形の補正をしっかりと行ないながら、肩周りに肩紐３が重複するのを解消して、肩周りの印象をすっきりさせることができ、インナーウェアーとして使用するのはもちろん、とくにアウターウェアーとして使用するのに好適なキャミソールが得られる。キャミソール本体１は、補正用インナー２に拘束されることもなく自由に動くことができるので、着用時における体の動きに同調したキャミソール本体１の揺れ動き等によって、躍動感や優雅さを強調できる。左右一対のカップ部１５と胸部を周回するベルト部１６とでブラジャー部１０を構成するので、内着を編みたてる過程でカップ部を成形編成する従来のタンクトップとは異なり、乳房の保持と体形補正とをブラジャー部１０で的確に行なって、通常のブラジャーと同等の乳房保持機能を安定した状態で発揮できる。
【００１６】
キャミソール本体１の前身頃４の胸部を覆う部分に装飾生地６を縫着すると、装飾生地６によってキャミソール本体１の外観上のデザインを多様化し、あるいは装飾性を向上できる。例えば、装飾生地６を付加して、若者向きの開放感に富む印象を発揮できるようにしたり、落ち着きのあるシックな印象の外観にまとめるなど、デザインを多様化してアウターウエアーに好適なキャミソールを構成することができる。華やかさや、かわいらしさを強調するなど、下着のイメージを払拭してキャミソール全体の印象やシルエットを自在に演出できる。
【００１７】
前身頃４の胸部全体を覆う状態で装飾生地６をキャミソール本体１に縫着すると、華やかさや、かわいらしさを強調するなど、下着のイメージを払拭してキャミソール全体の印象やシルエットを自在に演出できる。また、キャミソール本体１の前身頃４の上縁４ａを、ブラジャー部１０の上端位置より上方に位置させるので、前身頃４と装飾生地６とで胸部全体を覆うことができる。これにより、カップ部１５の一部がキャミソールの外面に露出するのを防ぎ、同時にカップ部１５の外形線を不明確にして、あたかもジャケットを着用したのと同様に、キャミソールを上品に着こなすことができる。
【００１８】
カップ部１５を発泡ポリウレタンシートを含む素材で椀形のシームレスカップとして形成し、さらに後ベルト部２１の上下幅を広幅に形成すると、ブラジャー部１０による乳房保持機能をさらに強化して、カップ部１５のずれを確実に防止できる。したがって、急激な動作や跳躍を行なうような場合であってもカップのずれを確実に防止できる。また、乳房のシルエットをカップ部１５で補正して、美しく見せることができる。さらに、後ベルト部２１を広幅に形成することによりアンダー圧を大きくして、ブラジャー部１０による乳房と体形の補正をさらに効果的に行なうことができる。
【００１９】
ウエストニッパー部１１を複数個の縦長のパーツ生地２５で構成し、各パーツ生地２５を低伸縮かつ高弾性力のメッシュ生地で形成すると、ウエストからアンダーバストにわたる胴部分の体形補正を、ウエストニッパー部１１で的確に行なえる。複数の生地パーツ２５の隣接縁どうしを縫着して筒状のウエストニッパー部１１を形成するので、生地パーツ２５の形成素材を適宜選定することにより、全体の補正力を大小に異ならせ、あるいは局部的に締め付け力を発揮させるなど、補正用インナー２の補正機能を多様化するうえで都合がよい。装飾生地６は、キャミソール本体１の胸部以外の部分や、肩紐３などに設けることができる。
【図面の簡単な説明】
【００２０】
【図１】キャミソールの正面図である。
【図２】キャミソール上部の背面図である。
【図３】キャミソールの平面図である。
【図４】補正用インナーの正面図である。
【図５】補正用インナーの背面図である。
【図６】キャミソール上部の縦断面図である。
【考案を実施するための形態】
【実施例】
【００２１】
図１ないし図６は本考案に係るキャミソールの実施例を示す。図１においてキャミソールは、キャミソール本体１と、キャミソール本体１の内部に設けられる体形補正用の補正用インナー２とで構成してあり、とくにアウターウェアーとして使用することを主眼にして構成してある。符号３はキャミソール本体１に設けた肩紐である。
【００２２】
キャミソール本体１は、前身頃４と後ろ身頃５の脇どうしを縫着して筒状に形成されており、前身頃４の胸部を覆う部分の外面には、装飾生地６が縫着してある。前身頃４および後ろ身頃５は、例えばストレッチ生地で形成してあり、前身頃４の上縁４ａ、および後ろ身頃５の上縁５ａは、それぞれ直線状に形成してある。図２に示すように、直線状の前身頃４の上縁４ａは、直線状の後ろ身頃５の上縁５ａより上方に位置させてある。両身頃４・５の縫着部の上端に臨んで、左右一対の袖ぐり７・７が凹弧状に形成してある。
【００２３】
装飾生地６は、ストレッチ生地で形成したキャミソール本体１のデザインを多様化し、あるいは装飾性を向上して、キャミソールをアウターウェアーとして使用するときの外観上の印象を向上するために設けてある。例えば、レース生地やラメ生地などからなる装飾生地６を付加して、華やかさや、かわいらしさ、あるいは清楚感などを演出できるようにしている。装飾生地６には、リボンやボタン、あるいは刺繍、アップリケなどを付加することもある。この実施例では、図１に示すように、前身頃４の上部の一側から他側にわたって、上下幅が大きな（約１２ｃｍ）レース地製の装飾生地６を前身頃４に縫着して、前身頃４の胸部全体を装飾生地６で覆うようにした。装飾生地６の上縁は、前身頃４の上縁より上方にはみ出させてある（図６参照）。
【００２４】
図４および図５において、補正用インナー２は、上側のブラジャー部１０と、ブラジャー部１０の下部のアンダーバスト線に沿って周回状に縫着される筒状のウエストニッパー部１１とで構成してある。ブラジャー部１０の左右両側にも、先に説明したキャミソール本体１の袖ぐり７と同じ形状の袖ぐり１２が凹弧状に形成してある。
【００２５】
図４に示すように、ブラジャー部１０は、椀形の左右一対のカップ部１５と、両カップ部１５の湾曲する下縁および両側縁に縫着されて、胸部を周回するベルト部１６とで構成する。カップ部１５は椀形のシームレスカップとして形成してあり、その上縁どうしを伸縮可能なバイアステープ１７で縫着して、左右のカップ部１５の隣接端が胸部の中央に位置するように連結してある。カップ部１５は、厚みが数ｍｍの発泡ポリウレタンシートの両面に薄い表地と裏地を積層したシート素材で形成してあり、このシート素材を加熱した成形用の型で椀形に成形して得られる。得られたカップ部１５は、自由状態において椀形状を自己保持できる。
【００２６】
ベルト部１６は、両カップ部１５の湾曲する下縁に伸縮可能なバイアステープ１８を介して縫着される前ベルト部２０と、前ベルト部２０に連続する後ベルト部２１と、両カップ部１５の側端に縫着される台形状の繋ぎ生地２２とで構成する。カップ部１５と繋ぎ生地２２との縫着線を符号２３で示している。前後の両ベルト部２０・２１、および繋ぎ生地２２は、キャミソール本体１と同じストレッチ生地で形成してある。
【００２７】
前後の両ベルト部２０・２１は、連続した１個の生地パーツからなり、背中側の中央部分において後ベルト部２１の端部どうしを縫着して輪形に形成してある。先に説明した左右の袖ぐり１２は、前後の両ベルト部２０・２１の左右両側の上縁に形成してある。また、後ベルト部２１の背中側の上縁２１ａを左右の袖ぐり１２より上方に位置させて、後ベルト部２１の上下幅が広幅に形成してある。ベルト部１６の下縁に沿って、主として胴回りの体形を補正するウエストニッパー部１１が縫着してある。
【００２８】
ウエストニッパー部１１は、周方向へ隣接する縦長の６個のパーツ生地２５で構成する。各パーツ生地２５は、低伸縮かつ高弾性力のメッシュ生地（例えばパワーネット生地）で形成してあり、各パーツ生地２５の周方向の隣接縁どうしを縫着して筒状に形成してある。ウエストニッパー部１１の下端は、内面側へ折り返して縫着してある。補正用インナー２の丈は、キャミソール本体１の丈より僅かに短く設定してある。
【００２９】
以上のように構成した補正用インナー２は、キャミソール本体１の左右の袖ぐり７に補正用インナー２の袖ぐり１２を後ろ基準で重ねる。さらに、後ベルト部２１の上縁２１ａをキャミソール本体１の後ろ身頃５の上縁５ａに一致させ、重ねた袖ぐり７・１２、および上縁５ａ・２１ａを伸縮可能なバイアステープ２６で挟んで逢着する。このバイアステープ２６は、袖ぐり７・１２から前方へ延出する状態で縫着されており、この延出部分を利用して肩紐３を形成している。肩紐３にはアジャスター２７が設けてある。
【００３０】
上記のように、補正用インナー２をキャミソール本体１と一体化した状態においては、カップ部１５と繋ぎ生地２２と前ベルト２０部が、キャミソール本体１の前身頃４に対して相対移動できる。ウエストニッパー部１１も同様にキャミソール本体１に対して相対移動可能な状態になっている。キャミソールを着用した状態においては、ブラジャー部１０とウエストニッパー部１１とをバストからウエストにわたって密着させて体形を補正しながら、シームレスカップからなる椀形のカップ部１５と、上下幅が大きな後ベルト部２１とで乳房および胸周りをしっかりと保持できる。したがって、急激な動作や跳躍を行なうような場合であってもカップのずれを確実に防止して、乳房保持機能を安定した状態で発揮できる。また、左右一対の肩紐３のみでキャミソールの全体を支持するので、肩周りの印象をすっきりさせることができる。多くの場合、ウエストニッパー部１１の下部は、パンツやスカートのベルト部分にたくし込まれるので、肩紐３と協同して補正用インナー２のずれ動きを規制することに役立つ。
【００３１】
前身頃４の上部の一側から他側にわたって、幅が大きなレース地製の装飾生地６を縫着するので、キャミソール本体１のデザインを多様化し、あるいは装飾性を向上して、キャミソールの外観上の印象をアウターウエアーに適合したものとすることができる。また着用状態において、カップ部１５の上縁を前身頃４および装飾生地６で覆うので、カップ部１５の一部がキャミソールの外面に露出し、あるいはカップ部１５の外形線が明確になるのを避けることができ、キャミソールを上品に着こなすことができる。装飾生地６を付加することにより、キャミソール全体のシルエットやデザイン効果を向上でき、とくにアウターウェアーとして使用するのに好適な装飾性に優れたキャミソールが得られる。
【００３２】
上記の実施例では、カップ部１５をシームレスカップで形成したがその必要はなく、カップ部１５は複数の生地パーツを縫着して椀形に形成することができる。必要があれば、カップ部１５の内面に補正パッドを装填するためのポケットを設けておくことができる。キャミソール本体１は、ストレッチ生地以外の、ポリエステルなどのトリコットや、ジョーゼット、サテンなどで形成することができる。
【符号の説明】
【００３３】
１  キャミソール本体
２  補正用インナー
３  肩紐
４  前身頃
５  後ろ身頃
６  装飾生地
７  袖ぐり
１０  ブラジャー部
１１  ウエストニッパー部
１５  カップ部
１６  ベルト部
【図１】
0003156989.tif 000003
【図２】
0003156989.tif 000004
【図３】
0003156989.tif 000005
【図４】
0003156989.tif 000006
【図５】
0003156989.tif 000007
【図６】
0003156989.tif 000008